(57)【要約】【課題】仕切板の強度性をそのまま維持しながら、レバータンブラー錠或いはロータリーディスクタンブラー錠の不正解錠に対する安全性の向上を図ることができる。【解決手段】外筒の前方側に回転可能に装着されたキーガイドと、一方、外筒の後方側に回転可能に装着されたテールピース部材と、該テールピース部材とキーガイドとの所定空間にバネ部材で所定方向に付勢されていると共に解錠用被検知部分を有する可動障害子並びに中央部に鍵孔を有する仕切板とが互いに対向するように外筒の長さ方向に複数枚並べられている検知具対策用シリンダ錠に於いて、仕切板の少なくとも一側面の下端部に、検知具のセンサーが解錠用検知部分の方向へ回転する際、該センサーを受け止める検知阻害用小突起を設けた検知具対策用シリンダ錠。【選択図】図１０
2010084318.tif 000002
【特許請求の範囲】
【請求項１】
外筒の前方側に回転可能に装着されたキーガイドと、一方、外筒の後方側に回転可能に装着されたテールピース部材と、該テールピース部材と前記キーガイドとの所定空間にバネ部材で所定方向に付勢されていると共に解錠用被検知部分を有する可動障害子並びに中央部に鍵孔を有する円盤状の仕切板とが互いに対向するように外筒の長さ方向に複数枚並べられている検知具対策用シリンダ錠に於いて、前記円盤状仕切板の少なくとも一側面の下端部に、前記検知具のセンサーが前記解錠用検知部分の方向へ回転する際、該センサーを受け止める検知阻害用小突起を設けたことを特徴とする検知具対策用シリンダ錠。
【請求項２】
請求項１に於いて、検知阻害用小突起は、可動障害子の解錠用被検知部分の付近であって、かつ可動障害子の自由端部の外周端の外側に位置するように設けられていることを特徴とする検知具対策用シリンダ錠。
【発明の詳細な説明】
【技術分野】
【０００１】
本発明は、シリンダ錠のダンブラーの解錠用被検知部分（シリンダのコード、例えば解錠切欠位置）を検知することができる検知具を用いた不正解錠に対する検知具対策用シリンダ錠に関する。
【背景技術】
【０００２】
ダンブラーの解錠用被検知部分を検知することができる検知具（例えば特許文献２、特許文献３等）に記載されているように「検知治具セット」或は「検知具」と称されているもの。）を用いた不正解錠に対する防御性を高めるシリンダ錠の一例として、出願人が貴庁に提案した特許文献１を記載する。
【０００３】
図１１及び図１２は、特許文献１に記載のシリンダ錠の第１実施例とその要部（仕切板３）をそれぞれ示す。
【０００４】
図１１及び図１２に於いて、Ｘはシリンダ錠で、このシリンダ錠Ｘは、その外筒２内に全体形状が略Ｃ字形状のレバーダンブラー（可動障害子）１１及びガイド機能を有する仕切り板（内筒に相当する部材）３を外筒の長さ方向にそれぞれ複数枚備えている。
前記外筒２の前方側に回転可能に装着されかつ鍵孔を有する図示しないキーガイドと前記外筒２の後方側に回転可能に装着された図示しないテールピース部材は、前記レバーダンブラー１１の基端部並びに仕切り板３の一端部をそれぞれ貫通する横軸（支軸）１２で一体的に連結され一つの回転ユニットを構成している。また、前記キーガイドとテールピース部材には、横軸１２に対して所定間隔離間してバックアップピン８が水平方向に架設されている。
【０００５】
さらに、シリンダ錠Ｘは、外筒２内にカム溝１と各レバーダンブラー１１の解錠切欠９にそれぞれ係脱可能な長杆状のロッキングバー６を備えている。また、各レバーダンブラー１１はそれぞれバネ部材（例えば板バネ）１８で所定方向に付勢されている。そして、仕切り板３にはキーガイドと整合する鍵孔４が形成され、該鍵孔４に「検知具セットＹ」の一つ（検知具）が差し込まれる。
【０００６】
検知具セットＹの一つは、例えば特許文献１〜特許文献３に記載されているように、挿入先端部にＬ型に折り曲げ形成された小パイプ状の案内部分１９を有し、この案内部分１９から薄平の細線（センサーという）２０が繰り出される（伸縮可能）。
【０００７】
しかして、特許文献１の段落００２２には、「上記のように構成された請求項１に記載の発明の一実施例によるシリンダ錠は、先端をＬ字形に曲げた細いパイプ１９を鍵孔４内に差込み、パイプ１９を通して薄平の細線（センサー）を仕切板３に押圧するようにして繰り出し、次いでパイプ１９を回して細線をタンブラーと仕切板との間に隙間に差し込むと共に解錠切欠９の位置を検知しようとしても、本発明においてはセンサーをタンブラー方向に押し曲げる仕切板３の部分が切り欠かれているので、センサーはその弾性によりタンブラーから離間し、結局、解錠切欠の角度位置を検知することができない」、と言及している。
【０００８】
付言すると、特許文献１の内筒に相当する仕切り板３は、図１２で示すように中央部のリング状部分２１を除き、下側の半分が左右対称に切欠２２、２２されているので、弾性のセンサー２０は仕切板３の下端部側に相当する受け面（切欠された所）に当接せず、該センサー２０が小パイプ状の案内部分１９から繰り出されるに連れてレバーダンブラー（可動障害子）１１の他端部から離間することから、解錠切欠の角度位置を検知することができないという訳である。
【０００９】
なお、図１１は、シリンダ錠Ｘの手前（図示しないキーガイド）側から見た概略断面説明図であり、検知具のセンサー２０は、手前側のレバーダンブラー１１の他端部と向こう側の仕切り板３との間（隙間）に入り込んでいることを示している。また、特許文献２、特許文献３等に記載の検知具セットＹは自明事項なので、その詳細は割愛する。また、符号の一部は特許文献１のものを援用している。
【特許文献１】特開２００５−２１３９４３号公報
【特許文献２】登録実用新案第３１４０５３７号公報
【特許文献３】登録実用新案第３０６３９９０号公報
【発明の開示】
【発明が解決しようとする課題】
【００１０】
本発明の所期の目的は、特許文献１の問題点を解消することである。検知具セットＹの対象となるシリンダ錠Ｘは、キーガイドとテールピース部材の所定空間に複数枚の可動障害子（レバーダンブラーまたはロータリディスクダンブラー）と仕切板とが互いに対向或は隣接するように外筒の長さ方向（その内周面の母線方向）に並べられているが、前記仕切板は、いわば内筒部材に相当するので、それ相当の強度性が要求される。
【００１１】
しかるに、特許文献１は、可動障害子の解錠切欠の角度位置を検知することができないという利点を有するものの、バックアップピン８が貫通する中央部の部分が、図１２で示すようにリング状部分２１に形成されていると共に、左右の切欠部分２２，２２の縁部と鍵孔４の間の細い部分２３、２３が、部分的に細く成るので、内筒としての強度を考慮すると問題であった（リング状部分２１や細い部分２３が破損する恐れがある）。
【００１２】
そこで、本発明の所期の目的は、特許文献１の利点を生かしながら、仕切板の強度性を確保することである。第２の目的は、可動障害子の回転の邪魔にならないこと、検知治具Ｙのセンサーの回転を確実に阻止すること等である。
【課題を解決するための手段】
【００１３】
本発明の検知具対策用シリンダ錠は、外筒の前方側に回転可能に装着されたキーガイドと、一方、外筒の後方側に回転可能に装着されたテールピース部材と、該テールピース部材と前記キーガイドとの所定空間にバネ部材で所定方向に付勢されていると共に解錠用被検知部分を有する可動障害子並びに中央部に鍵孔を有する円盤状の仕切板とが互いに対向するように外筒の長さ方向に複数枚並べられている検知具対策用シリンダ錠に於いて、前記円盤状仕切板の少なくとも一側面の下端部に、前記検知具のセンサーが前記解錠用検知部分の方向へ回転する際、該センサーを受け止める検知阻害用小突起を設けたことを特徴とする。
【発明の効果】
【００１４】
（ａ）仕切板の強度性をそのまま維持しながら、レバータンブラー錠或いはロータリーディスクタンブラー錠の不正解錠に対する安全性の向上を図ることができる。
（ｂ）検知阻害部分が「小突起」なので、可動障害子の動きの妨げにならない、検知治具Ｙのセンサーの回転を確実に阻止することができる等の利点がある。
【発明を実施するための最良の形態】
【００１５】
以下、図１乃至図１０に示す本発明を実施するための最良の形態（第１実施例）により説明する。
【００１６】
（１）発明の実施の環境
図１は右側面側から見た概略縦断面説明図、図２は背面（テールピース部材）側から見た概略縦断面説明図である。なお、ここではシリンダ錠Ｘ１のキーガイド側が正面である。また、図１１及び図１２に記載の従来例のシリンダ錠Ｘと同一の部分には説明の便宜上同一の符号を付す。
【００１７】
図１、図２、図９、図１０に於いて、Ｘ１はシリンダ錠、Ｙは検知具セット或検知具（図９、図１０）、１はカム溝、２は外筒、３は仕切板、４は仕切板の鍵孔、５は複数枚の仕切板で構成された内筒、６はロッキングバー、７は仕切板とレバーダンブラー（可動障害子）１１との間の隙間（スロット）、８はバックアップピン、９はレバーダンブラーの他端部側に形成された解錠用被検知部分（シリンダのコード）、１１はレバーダンブラー（可動障害子）、１２は支軸としての横軸、１３はキーガイド、１４はテールピース部材、１８はバネ部材、１９は検知具Ｙの小パイプ状の案内部分、２０はセンサー（薄平の細線）である。
【００１８】
（３）検知具対策用シリンダ錠−主要部
検知具対策用シリンダ錠Ｘ１の主要部は、外筒２の前方側に回転可能に装着されたキーガイド１３と、外筒２の後方側に回転可能に装着されたテールピース部材１４と、該テールピース部材１４と前記キーガイド１３との所定空間２１にバネ部材１８で所定方向に付勢されていると共に解錠用被検知部分９（ロータリディスクダンブラーの場合には解錠凸部）を有する可動障害子１１と中央部に鍵孔４を有する仕切板３とが互いに対向或は隣接するように外筒の長さ方向に複数枚並べられており、前記仕切板３の少なくとも一つの下端部の一側面に、検知具Ｙのセンサー２０の回転を阻止する検知阻害用小突起２６が少なくとも一つ設けられている。
【００１９】
（４）シリンダ錠−具体的構成
図１及び図２を参照してシリンダ錠Ｘ１の具体的構成について付言する。特許文献１に記載されているように、シリンダ錠Ｘ１は、その内周面２ａの母線に沿ってカム溝１を形成した外筒２と、この外筒２の前方側に回転可能に装着されたキーガイド１３と、外筒の後方側に回転可能に装着されたテールピース部材１４と、該テールピース部材１４と前記キーガイド１３との所定空間２１にバネ部材１８で所定方向に付勢されていると共に、スロット（間隙）７を介して中心軸線方向に積層的に並べられた複数の仕切板３、３によって構成され、かつ中心部に鍵孔４を有する内筒５と、この内筒５の母線に沿って延在し、かつ該内筒５の外周部において半径方向に移動可能に案内されると共に、前記カム溝１と係合する外側縁が外方に突出する方向に付勢されたロッキングバー６とを有している。
【００２０】
また、前記仕切板３の間の各スロット７に、夫々全体の形状が、略Ｃ字形状に形成され、その一端部（基端部）が横軸１２を介して揺動自在に軸支されていると共に、鍵孔４に挿入された図示しない鍵の側端縁と干渉する方向に付勢され、常態では内筒５の内周端縁を軸線方向に貫通するバックアップピン８に係止され、かつ他端部（自由端部）の外側端縁の適宜箇所にロッキングバー６の内側縁を受入れる解錠切欠９が形成されているレバータンブラー１１が挿設されている。
【００２１】
上記構成に於いて、タンブラー群の夫々が鍵孔４に挿通された図示しない合鍵の対応する鍵溝と係合したとき、各レバータンブラー１１の解錠用被検知部分（解錠切欠）９がロッキングバー６の内側縁と整合するように構成されている。
【００２２】
したがって、合鍵を鍵孔４に挿入して内筒５を外筒２内で回動させると、カム溝１とロッキングバー６との間に生じる楔作或は摺接用によるロッキングバー６の内筒中心軸方向への移動が可能になることから、内筒５は解錠方向に回動する。
【００２３】
（５）新規事項−仕切板３
図３は、仕切板３の一例を示している。図３は背面（テールピース部材）側から見た斜視図である。円盤状の仕切板３の裏側に相当いる一側面３ａの下端部の中央部には、ロッキングバー６の内側縁を受け入れる段差状の切欠部分２５が形成されている。本実施例では、この切欠部分２５を基準として円盤状仕切板３の一側面３ａの下端部の左右部位に小突起２６、２６が一対形成されている。なお、仕切板３の上端部の中央部には、横軸用の軸孔２７が形成されており、また、羽根形状の鍵孔４付近には、バックアップピン用の貫通孔２８が形成されている。
【００２４】
（６）レバータンブラー１１
図６は可動障害子の一例としてのレバータンブラーを示している。レバータンブラー１１は、前述したように、例えば略Ｃ字形状に形成され、その一端部１１ａが軸孔３１及び横軸１２を介して揺動自在に軸支されている。この一端部１１ａから下方へと湾曲状に延びる他端部１１ｂの適宜箇所には、ロッキングバー６の内側縁を受入れる解錠切欠９が形成され、普通一般に前記解錠切欠９の形成位置（角度）は、前記軸孔３１を基準してそれぞれ異なる。
【００２５】
そして、レバータンブラー１１の内周端縁１１ｃは、鍵孔４に挿入された図示しない鍵の側端縁と干渉する方向に付勢されていると共に、常態では内筒５の内周端縁を軸線方向に貫通するバックアップピン８に係止されていることから、前記バックアップピン８はレバータンブラー１１を所定位置に係止するストッパーとしの機能を果たす。なお、符号３２はバネ部材の一端部を取付ける円形切欠状の取付け部分である。
【００２６】
（７）効果
図７乃至図１０は、本発明の効果について説明する各概略説明図である。図７は背面（テールピース部材）側から見た斜視図で、図面上検知対象である手前側のレバータンブラーは便宜上省略してある。
【００２７】
検知具Ｙの操作手順の詳細は、公序良俗の観点から割愛するが、図７では、検知具Ｙの小パイプ状の案内部分１９が、向こう側のレバータンブラー１１の内周端１１ｃを通過すると共に仕切板３の鍵孔４へと差し込まれ、かつ、案内部分１９が回転可能、センサー２０が繰り出し可能等であることを示している。
【００２８】
今仮に、検知具Ｙのセンサー（薄平の細線）２０で検知しようとするといるレバータンブラーが、図９で符号を入れた右側のレバータンブラー１１であるとする。すなわち、図９で示すように、右側のレバータンブラー１１は、前後の仕切板３、３にサンドイッチ状に挟まれているが、前述したように仕切板３とレバータンブラー１１の間には若干のスロット７が存在しており、そこにセンサー２０が繰り出されて入り込んだ場合に於いて、検知者（いわゆる泥棒）が、図１０で示すように、前記センサー２０をレバータンブラー１１の解錠切欠９の方向へ回転して該解錠切欠９の角度を検知しようとしても、一方（図面上、左側）の小突起２６がセンサー２０の回転を阻止する。
【００２９】
したがって、円盤状の仕切板の強度性をそのまま確保した上で、解錠用被検知部分（解錠切欠）９が検知されることを防止することができる。この点は、検知具Ｙの小パイプ状の案内部分１９の位置を変え、センサー２０を反対方向へ回転させようとしても同様である。
【実施例】
【００３０】
発明の実施の形態で示した実施例に於いて、可動障害子の一例としてのレバータンブラーを示しているが、もちろん、特許文献１に記載されているように、ロータリーディスクタンブラーであっても良い。レバータンブラー又はロータリーディスクタンブラーの如何を問わず、単数又は複数個の突起２６は、可動障害子の動きの障害にならない位置に設けることは当然である。また、望ましくは、突起２６の突起量は、仕切板３の半分程度である。さらに、突起２６は全ての仕切板３に設ける必要はなく、仕切板３の少なくとも一つの一側面に少なくとも一つ設けられる。
【産業上の利用可能性】
【００３１】
本発明は、主に錠前や建具の業界で利用される。
【図面の簡単な説明】
【００３２】
図１乃至図１０は本発明の最良の実施例を示す各説明図。図１１及び図１２は従来のシリンダ錠の一例を示す各説明図。
【図１】右側面側から見た概略縦断面説明図。
【図２】背面（テールピース部材）側から見た概略縦断面説明図。
【図３】背面（テールピース部材）側から見た仕切板の斜視図。
【図４】図３の４−４線断面図。
【図５】図３の５−５線断面図。
【図６】可動障害子の一例を示す斜視図。
【図７】検知具の検知方法を示す概略説明図。
【図８】検知具の検知方法を示す概略説明図。
【図９】図８の要部を示す概略説明図。
【図１０】発明の効果を示す概略説明図。
【図１１】従来のシリンダ錠の一例を示す説明図。
【図１２】図１１で採用されている仕切板の説明図。
【符号の説明】
【００３３】
Ｘ１…シリンダ錠、1…カム溝、２…外筒、２ａ…内周面、３…仕切板、３ａ…一側面、４…鍵孔、５…内筒、６…ロッキングバー、７…スロット、８…バックアップピン、９…解錠用被検知部分（例えば解錠切欠）、１１…可動障害子（例えばレバータンブラー）、１２…横軸、１３…キーガイド、１４…テールピース部材、１８…バネ部材、２１…所定空間、２５…切欠部分、２６…小突起、２７…軸孔、２８…貫通孔。
【図１】
2010084318.tif 000003
【図２】
2010084318.tif 000004
【図３】
2010084318.tif 000005
【図４】
2010084318.tif 000006
【図５】
2010084318.tif 000007
【図６】
2010084318.tif 000008
【図７】
2010084318.tif 000009
【図８】
2010084318.tif 000010
【図９】
2010084318.tif 000011
【図１０】
2010084318.tif 000012
【図１１】
2010084318.tif 000013
【図１２】
2010084318.tif 000014